(57)【要約】【課題】実施形態の課題は、一層の狭額縁化が可能な光源装置、これを備えるバックライト装置、および液晶表示装置を提供することにある。【解決手段】実施形態に係るバックライト装置は、底板および複数の側板を有するケース２３と、ケースに形成され、導電層からなる配線および接続部を有する配線パターンＷＰと、出射面および入射面ＥＦを有し、底板上に配置された導光板ＬＧと、接続部に実装された発光素子３２であって、導光板の入射面に対向した発光面４２ａと接続部に対向する実装面４２ｂと、を有する発光素子と、を備えている。【選択図】  図４
2019091607.tif 000002
【特許請求の範囲】
【請求項１】
底板を有するケースと、
前記ケースに形成され、配線および接続部を有する配線パターンと、
出射面および入射面を有し、前記底板上に配置された導光板と、
前記接続部に電気的に接続され、前記導光板の入射面に対向した発光面と前記接続部に対向する実装面と、を有する発光素子と、
を備えるバックライト装置。
【請求項２】
前記ケースはスルーホールを有し、
前記配線パターンは、前記ケースの内面上から前記スルーホールを通して前記ケースの外面上に延在する複数の配線と、前記ケースの内面に設けられ前記配線に導通する複数の第１接続部と、前記ケースの外面に設けられ前記配線に導通する第２接続部と、を有している請求項１に記載のバックライト装置。
【請求項３】
前記ケースの外面側に設けられ、前記第２接続部に接続された配線基板を更に備えている請求項２に記載のバックライト装置。
【請求項４】
前記第１接続部は、前記底板の内面上に設けられて、前記第２接続部は前記底板の外面に設けられている請求項２に記載のバックライト装置。
【請求項５】
前記スルーホールは、前記底板に形成され、前記導光板と重なる領域で、前記底板の内面および外面に開口している請求項４に記載のバックライト装置。
【請求項６】
前記ケースは、前記底板の側縁に沿って設けられ前記導光板の入射面と隙間を置いて対向する第１側板を有し、
前記第１接続部は、前記第１側板の内面に設けられ、前記第２接続部は前記底板の外面に設けられ、前記スルーホールは前記底板に形成されている請求項２に記載のバックライト装置。
【請求項７】
前記ケースは、前記底板の側縁に沿って設けられ前記導光板の入射面と隙間を置いて対向する第１側板を有し、
前記第１接続部は、前記第１側板の内面に設けられ、前記第２接続部は前記底板の外面に設けられ、前記スルーホールは前記第１側板に形成され、前記配線は、前記第１接続部から前記スルーホールを通り、前記第１側板の外面および前記底板の外面に沿って前記第２接続部まで延在している請求項２に記載のバックライト装置。
【請求項８】
前記ケースは、前記底板の側縁に沿って設けられ前記導光板の入射面と隙間を置いて対向する第１側板を有し、
前記第１接続部は、前記第１側板の内面に設けられ、前記第２接続部は前記第１側板の外面に設けられ、前記スルーホールは前記第１側板に形成され、前記配線は、前記第１接続部から前記スルーホールを通り、前記第１側板の外面に沿って前記第２接続部まで延在している請求項２に記載のバックライト装置。
【請求項９】
前記ケースは、金属で形成されている請求項１から８のいずれか１項に記載のバックライト装置。
【請求項１０】
前記ケースは、樹脂で形成されている請求項１から８のいずれか１項に記載のバックライト装置。
【請求項１１】
前記ケースは、前記底板を構成する反射シートと、前記反射シートの周縁部に固定され側板を構成する樹脂フレームと、を有している請求項１から８のいずれか１項に記載のバックライト装置。
【請求項１２】
液晶パネルと、
前記液晶パネルに対向して配置された請求項１から１１のいずれか１項に記載のバックライト装置と、
を備える液晶表示装置。
【発明の詳細な説明】
【技術分野】
【０００１】
本発明の実施形態は、バックライト装置およびこれを備える液晶表示装置に関する。
【背景技術】
【０００２】
スマートフォン、タブレットコンピュータ、カーナビゲーションシステム等の表示装置として、液晶表示装置が広く用いられている。一般に、液晶表示装置は、液晶表示パネルと、この液晶表示パネルの背面に重ねて配置され液晶表示パネルを照明するバックライト装置と、を備えている。バックライト装置は、ケース（ベゼルあるいはフレーム）、反射層、導光板、光学シート、導光板に入射する光を供給する光源装置等を有している。光源装置は、ＦＰＣ等の配線基板と、配線基板上に実装された複数の光源（例えば、発光ダイオード、ＬＥＤ）とを有している。光源装置は、配線基板を、例えば、フレームに貼り付けることにより所定位置に保持される。
【０００３】
液晶表示装置の狭額縁化は、主に左右辺側の額縁を縮小することによりなされている。近年、一番幅の広い光源側（入光側）の額縁を縮小する要求が高まっている。
【先行技術文献】
【特許文献】
【０００４】
【特許文献１】特開２０１６−２０７２７９号公報
【特許文献２】特開２０１５−１７６６８０号公報
【発明の概要】
【発明が解決しようとする課題】
【０００５】
ここで述べる実施形態の目的は、一層の狭額縁化が可能なバックライト装置、これを備える液晶表示装置を提供することにある。
【課題を解決するための手段】
【０００６】
実施形態に係るバックライト装置は、底板を有するケースと、前記ケースに形成され、配線および接続部を有する配線パターンと、出射面および入射面を有し、前記底板上に配置された導光板と、前記接続部に電気的に接続され、前記導光板の入射面に対向した発光面と前記接続部に対向する実装面と、を有する発光素子と、を備えている。
【図面の簡単な説明】
【０００７】
【図１】図１は、第１の実施形態に係る液晶表示装置の表示面側を示す斜視図。
【図２】図２は、前記液晶表示装置の分解斜視図。
【図３】図３は、前記液晶表示装置のバックライト装置の分解斜視図。
【図４】図４は、図１の線Ａ−Ａに沿った前記液晶表示装置の光源側部分の断面図。
【図５】図５は、前記バックライト装置の光源装置を示す平面図。
【図６】図６は、前記バックライト装置の光源側を示す背面図。
【図７】図７は、図５の線Ｂ−Ｂに沿ったバックライト装置の断面図。
【図８】図８は、第２の実施形態に係るバックライト装置の光源側部分を示す断面図。
【図９】図９は、第３の実施形態に係るバックライト装置の光源側部分を示す断面図。
【図１０】図１０は、第４の実施形態に係るバックライト装置の光源側部分を示す断面図。
【図１１】図１１は、第５の実施形態に係る液晶表示装置の光源側部分を示す断面図。
【図１２】図１２は、第１変形例に係る液晶表示装置の光源側部分を示す断面図。
【図１３】図１３は、第２変形例に係る液晶表示装置の光源側部分を示す断面図。
【図１４】図１４は、第３変形例に係る液晶表示装置の光源側部分を示す断面図。
【発明を実施するための形態】
【０００８】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）  
図１は、第１の実施形態に係る液晶表示装置の表示面側を示す斜視図、図２は、液晶表示装置の分解斜視図である。  
液晶表示装置１０は、例えばスマートフォン、タブレット端末、携帯電話機、ノートブックタイプＰＣ、携帯型ゲーム機、電子辞書、テレビ装置、カーナビゲーションシステムなどの各種の電子機器に組み込んで使用することができる。
【００１０】
図１および図２に示すように、液晶表示装置１０は、アクティブマトリクス型の液晶表示パネルである表示パネル１２と、表示パネル１２の一方の表面である表示面１２ａに重ねて配置され、表示面１２ａ全体を覆うカバーパネル１４と、表示パネル１２の他方の表面である背面に対向配置されたバックライト装置２０と、を備えている。図において、第１方向Ｄｘ、これと直交する第２方向Ｄｙ、および第１、第２方向と直交する第３方向Ｄｚを定めている。本実施形態において、例えば、液晶表示装置１０の長手方向を第１方向Ｄｘ、幅方向を第２方向Ｄｙ、厚さ方向を第３方向Ｄｚとしている。
【００１１】
図４は、図１の線Ａ−Ａに沿った液晶表示装置の光源側の断面図である。図２および図４に示すように、表示パネル１２は、矩形状の第１基板ＳＵＢ１と、第１基板ＳＵＢ１に対向配置された矩形状の第２基板ＳＵＢ２と、第１基板ＳＵＢ１と第２基板ＳＵＢ２との間に設けられた液晶層ＬＱと、を備えている。第１基板ＳＵＢ１および第２基板ＳＵＢ２は、それぞれガラス板あるいは樹脂板等の透明な絶縁基板により形成されている。第２基板ＳＵＢ２の周縁部は、シール材ＳＥにより第１基板ＳＵＢ１に貼り合わされている。第２基板ＳＵＢ２の表面に偏光板ＰＬ２が貼付され、表示パネル１２の表示面１２ａを形成している。第１基板ＳＵＢ１の表面（表示パネル１２の背面）に偏光板ＰＬ１が貼付されている。
【００１２】
表示パネル１２では、表示面１２ａを平面視した状態で、シール材ＳＥの内側となる領域に矩形状の表示領域（アクティブ領域）ＤＡが設けられている。なお本明細書では、平面視とは、表示パネル１２の表面の法線方向から当該表示パネルを視認する状態をいう。該表示領域ＤＡに画像が表示される。表示領域ＤＡの周囲に、矩形枠状の額縁領域（非表示領域）ＥＤが設けられている。表示パネル１２は、バックライト装置２０からの光を表示領域ＤＡに選択的に透過させることで画像を表示する透過表示機能を備えている。
【００１３】
図示した例では、第１基板ＳＵＢ１の短辺側の端部にフレキシブルプリント回路基板（ＦＰＣ）２２が接合され、表示パネル１２から外方に延出している。ＦＰＣ２２には、表示パネル１２を駆動するのに必要な信号を供給する信号供給源として、駆動ＩＣチップ２１等の半導体素子が実装されている。
【００１４】
図２および図４に示すように、カバーパネル１４は、例えば、ガラス板製あるいはアクリル系の透明樹脂製であり、矩形板状を呈している。カバーパネル１４は、表示パネル１２の表示面１２ａ全体を覆っている。カバーパネル１４の背面（表示パネル１２側の面、あるいは、観察者に対向する面と反対側となる面）の周縁部に枠状の遮光層ＲＳが形成されている。なお、遮光層ＲＳは、カバーパネル１４の上面（表示面）に形成してもよい。
カバーパネル１４の背面は、光透過性を有する接着剤あるいは粘着剤、例えば、光学用透明樹脂からなる粘着シートＡＤにより、表示パネル１２の偏光板ＰＬ２に貼付されている。
【００１５】
図３は、バックライト装置２０の分解斜視図である。図２、図３、図４に示すように、バックライト装置２０は、ケース（ベゼル）２３と、ケース２３内に配置された複数の光学部材と、光学部材に入射する光を供給する光源装置３０と、を備えている。
ケース２３は、矩形状の底板１７と、底板１７の側縁に沿って立設された複数の側板と、を有している。側板は、互いに対向する一対の長側板１６ａ、１６ｂと、互いに対向する一対の短側板１６ｃ、１６ｄと、を有している。ケース２３は、例えば、ステンレス（ＳＵＳ）等の金属で一体に形成されている。なお、ケース２３は、金属に限らず、全部あるいは一部をポリカーボネート等の樹脂で成型することも可能である。
【００１６】
バックライト装置２０の光学部材は、ケース２３内で底板１７上に載置された反射シートＲＥ、導光板ＬＧ、および導光板ＬＧ上に重ねて配置された複数枚、例えば、２枚の第１光学シートＯＳ１、第２光学シートＯＳ２を有している。  
反射シートＲＥは、平面視で矩形状に形成され、底板１７の寸法よりも僅かに小さい寸法に形成されている。反射シートＲＥは、底板１７上に載置され、底板１７のほぼ全面を覆っている。
【００１７】
導光板ＬＧは、透光性を有する樹脂、例えば、アクリル系あるいはシリコン系の樹脂、を矩形状に形成してなり、直方体状を成している。導光板ＬＧは、出射面となる第１主面Ｓ１と、この第１主面Ｓ１の反対側の第２主面Ｓ２と、複数の側面と、を有している。本実施形態では、導光板ＬＧの短辺側の一側面を入射面ＥＦとしている。  
導光板ＬＧは、第２主面Ｓ２側が反射シートＲＥと対向した状態で、ケース２３内に配置され、反射シートＲＥ上に載置されている。導光板ＬＧの入射面ＥＦは、光源側の短側板（第１側板）１６ｄと隙間を置いて対向している。
【００１８】
本実施形態によれば、第１光学シートＯＳ１、第２光学シートＯＳ２として、例えば、ポリエチレンテレフタレート等の合成樹脂で形成された光透過性を有する拡散シート、プリズムシートを用いている。光学シートＯＳ１、ＯＳ２は、導光板ＬＧの第１主面Ｓ１上に順に重ねて載置されている。光学シートＯＳ１、ＯＳ２の光源側の側縁を除く、少なくとも３つの側縁部は、長側板１６ａ、１６ｂ、および短側板１６ｃの段差部上に載置されている。なお、光学シートは、２枚に限らず、３枚以上あるいは２枚以下の光学シートを用いてもよい。
【００１９】
次に、光源装置３０について詳細に説明する。図３および図４に示すように、光源装置３０は、ケース２３に形成された配線パターンＷＰと、この配線パターンＷＰ上に実装され、当該配線パターンＷＰと電気的、機械的に接続される複数の光源、例えば、発光素子３２と、を有している。発光素子３２としては、例えば発光ダイオード（ＬＥＤ）が用いられる。配線パターンＷＰは、底板１７に形成されたスルーホール３４を通して、底板１７の内面（導光板ＬＧと対向する面）上から底板１７の外面（内面と反対側の面）まで引き出されている。光源装置３０は、中継フレキシブルプリント配線板（中継ＦＰＣ）３６を更に備えている。中継ＦＰＣ３６は、底板１７の外面側で配線パターンＷＰに接続されている。中継ＦＰＣ３６は、ケース２３の外側に引き出され、メインＦＰＣ２２に接続される。
【００２０】
図５は、光源装置を示す平面図、図６は、バックライト装置の光源側を示す背面図、図７は、図５の線Ｂ−Ｂに沿ったバックライト装置の断面図である。  
図５および図７に示すように、底板１７の光源側端部に複数、例えば、２つのスルーホール３４が形成されている。各スルーホール３４は、底板１７において、導光板ＬＧと重なる領域に形成され、底板１７の内面および外面に開口している。底板１７の内面（導光板ＬＧと対向する面）、外面（内面と反対側の面）、およびスルーホール３４に、第１絶縁層３８ａが形成されている。第１絶縁層３８ａ上に、導電層４０が形成され、さらに、導電層４０上に第２絶縁層３８ｂが形成されている。導電層４０は、パターニングすることにより、配線パターンＷＰを形成している。配線パターンＷＰは、複数の配線Ｗ１と、それぞれ配線Ｗ１に導通した複数の接続パッド（接続部）ＣＰ１、ＣＰ２とを有している。接続パッドＣＰ１は、底板１７の内面上で短側板１６ｄの近傍に設けられている。接続パッドＣＰ１は、短側板１６ｄに沿って所定の間隔を置いて並んでいる。更に、各接続パッドＣＰ１は、第２絶縁層３８ｂに覆われることなく露出している。  
２つの接続パッドＣＰ２は、底板１７の外面上でスルーホール３４の近傍に設けられている。各接続パッドＣＰ２は、第２絶縁層３８ｂに覆われることなく露出している。
【００２１】
本実施形態によれば、光源として、点光源であるＬＥＤ３２を所定の間隔で複数個、並べたものを用いている。図示の一例では、サイドビュー型のＬＥＤ３２を用いている。ＬＥＤ３２は、例えば、樹脂で形成されたほぼ直方体形状のケース（パッケージ）を有している。ケースの一側面は、発光面４２ａを形成し、この発光面４２ａと直交するケースの底面が実装面４２ｂを形成している。実装面４２ｂに一対の接続端子４４が設けられている。なお、ＬＥＤ３２のケースは、概略的に直方体形状としているが、これに限定されるものではない。すなわち、ＬＥＤ３２の側面は凹凸を有していてもよく、あるいは、湾曲した形状としてもよい。
【００２２】
ＬＥＤ３２は、実装面４２ｂが底板１７の配線パターンＷＰ上に実装されている。すなわち、ＬＥＤ３２の一対の接続端子４４は、例えば、ハンダ４６により、対応する接続パッドＣＰ１に電気的かつ機械的に接合されている。ＬＥＤ３２の発光面４２ａは、底板１７の内面に対してほぼ垂直に位置している。ＬＥＤ３２は、底板１７の内面とほぼ平行な方向に、発光面４２ａから光を出射する。なお、接続パッドＣＰ１に対するＬＥＤ３２の接合は、ハンダ４６に限らず、異方性導電膜（ＡＣＦ）あるいは導電テープを用いることが可能である。  
複数のＬＥＤ３２は、短側板１６ｄに沿って互いに所定の間隔を置いて、一列に並んで配置されている。複数のＬＥＤ３２の発光面４２ａは、短側板１６ｄと平行に、また、互いにほぼ面一に並んでいる。これらの発光面４２ａは、導光板ＬＧの入射面ＥＦに隣接対向し、あるいは、入射面ＥＦに当接している。これにより、ＬＥＤ３２は、入射面ＥＦを介して導光板ＬＧ内に光を入射させる。
【００２３】
図６および図７に示すように、中継ＦＰＣ３６は、底板１７の背面に対向して配置されている。中継ＦＰＣ３６の配線の一端部は、ハンダ４８により、配線パターンＷＰの接続パッドＣＰ２に電気的かつ機械的に接合されている。中継ＦＰＣ３６の他端部は、ケース２３の外方に引き出され、メインＦＰＣ２２に接続される。以上により、複数のＬＥＤ３２は、ケース２３に形成された配線パターンＷＰ上に実装され、この配線パターンＷＰおよび中継ＦＰＣ３６を介してメインＦＰＣおよび図示しないコントローラに電気的に接続される。
【００２４】
図３および図４に示すように、バックライト装置２０は、枠状の両面テープＴＰ１および帯状の両面テープＴＰ２を有している。両面テープＴＰ２は、ケース２３の短側板１６ｄに沿って設けられ、複数のＬＥＤ３２の側面（実装面４２ｂと反対側の面）上に貼り付けられている。両面テープＴＰ２の一側縁部は、導光板ＬＧの第１主面Ｓ１に貼り付けられ、他側縁は、短側板１６ｄの段差部に貼り付けられている。このように、複数のＬＥＤ３２は、両面テープＴＰ２により、導光板ＬＧおよびケース２３に貼り付けられ、所望の位置、すなわち、導光板ＬＧの入射面ＥＦと対向する位置、に保持されている。なお、両面テープＴＰ２は、黒色インク等により黒色に着色され、遮光機能を有していてもよい。  両面テープＴＰ１は、ケース２３の外径寸法に対応した外径寸法を有している。両面テープＴＰ１は、その外縁がケース２３の外縁と一致した状態で、４つの側板１６ａ〜１６ｄの上端面に貼付されている。両面テープＴＰ１の光源側の１辺部は、短側板１６ｄに沿って延在し、両面テープＴＰ１および第２光学シートＯＳ２の光源側端部に重ねて貼付されている。両面テープＴＰ１の他の３辺部は、それぞれ長側板１６ａ、１６ｂ、短側板１６ｃに沿って延在し、これらの側板および第２光学シートＯＳ２の周縁部に貼付されている。
【００２５】
上記のように構成されたバックライト装置２０は、両面テープＴＰ１により、表示パネル１２の第１基板ＳＵＢ１に取り付けられている。この際、両面テープＴＰ１は、第１基板ＳＵＢ１の周縁部、すなわち、額縁領域ＥＤに貼り付けられ、その外縁は第１基板ＳＵＢ１の外縁に一致している。導光板ＬＧ、第１、第２光学シートＯＳ１、ＯＳ２は、表示パネル１２と平行に位置し、表示領域ＤＡの全面に対向している。コントローラからメインＦＰＣ２２、中継ＦＰＣ３６、配線パターンＷＰを介してＬＥＤ３２に駆動電流が通電されると、ＬＥＤ３２が点灯し発光面４２ａから光を照射する。ＬＥＤ３２から出射された光は、導光板ＬＧの入射面ＥＦから導光板ＬＧ内に入射し、導光板ＬＧ内を伝播し、或いは反射シートＲＥで反射され、第１主面（出射面）Ｓ１から表示パネル１２側に出射される。
【００２６】
以上のように構成された本実施形態に係るバックライト装置２０および液晶表示装置１０によれば、直接、ケース２３に導電層（配線パターンＷＰ）を形成し、この配線パターンＷＰ上にＬＥＤ３２を実装する構成とすることにより、光源装置の独立した配線基板を省略することができる。すなわち、従来構造の配線を引き回していた配線基板領域が不要となり、この分だけケース２３の側板（短側板１６ｄ）をＬＥＤ３２側に近づけて配置することができる。これにより、光源側の短側板１６ｄと導光板ＬＧの入射面ＥＦとの間隔を縮小し、液晶表示装置１０の光源側の狭額縁化が可能となる。一例では、従来構造の額縁幅５．７ｍｍに対して、本実施形態の構成では、額縁幅を４．２５ｍｍ程度にすることが可能となり、約１．４５ｍｍの短縮効果が得られる。  
配線パターンＷＰは、ケース２３において、導光板ＬＧと重なる領域にも形成可能であり、更に、スルーホール３４を介してケース２３の外面側に引き回すことが可能となる。すなわち、額縁幅に影響を与えない領域に配線パターンＷＰを設けることができる。また、ケース２３の外面に形成された配線パターンに中継ＦＰＣを接続することにより、この中継ＦＰＣをケース２３の底板１７あるいは導光板ＬＧと重なる位置に配置することができる。従って、中継ＦＰＣ３６は、狭額縁化を妨げることなく、設置することができる。
以上のことから、本実施形態によれば、一層の狭額縁化が可能なバックライト装置、これを備える液晶表示装置が得られる。
【００２７】
なお、第１の実施形態において、ＬＥＤ３２の設置数は、実施形態に限定されることなく、必要に応じて、あるいは、ＬＥＤの寸法に応じて、増減可能である。また、前述したように、ケース２３は、金属に限定されることなく、合成樹脂により形成してもよい。この場合においても、ケース２３に直接、配線パターンを形成することが可能である。更に、配線パターンＷＰのスルーホール３４の設置位置は、導光板ＬＧと対向する位置に限定されることなく、他の位置に設けてもよい。
【００２８】
次に、他の実施形態に係るバックライト装置および液晶表示装置について説明する。なお、以下に説明する他の実施形態において、前述した第１の実施形態と同一の部分には、同一の参照符号を付してその詳細な説明を省略あるいは簡略化し、第１の実施形態と異なる部分を中心に詳しく説明する。
【００２９】
（第２の実施形態）
図８は、第２の実施形態に係るバックライト装置の光源側を示す断面図である。  
第２の実施形態によれば、光源装置３０の光源として、トップビュー型のＬＥＤ３２を用いている。ＬＥＤ３２のケースは、導光板ＬＧの入射面ＥＦに対向した発光面４２ａと、この発光面４２ａと対向する実装面４２ｂとを有し、実装面４２ｂに一対の接続端子４４が設けられている。
【００３０】
光源装置３０の配線パターンＷＰは、ケース２３の短側板１６ｄの内面（導光板ＬＧと対向する面）上、底板１７の内面および外面上、およびスルーホール３４に形成されている。配線パターンＷＰは、短側板１６ｄの内面上に設けられた複数の接続パッドＣＰ１、底板１７の外面上に設けられた複数の接続パッドＣＰ２、これらの接続パッドに導通しスルーホール３４を通って延在する配線と、を有している。接続パッドＣＰ１は、第２絶縁層３８ｂに覆われることなく、露出している。ＬＥＤ３２の実装面４２ｂは、短側板１６ｄの内面に対向している。接続端子４４は、ハンダ４６により、接続パッドＣＰ１に機械的かつ電気的に接合されている。また、接続パッドＣＰ２には、ハンダ４８により中継ＦＰＣ３６が接合されている。第２の実施形態において、バックライト装置２０の他の構成は、前述した第1の実施形態におけるバックライト装置と同一である。
【００３１】
以上のように構成された第２の本実施形態に係るバックライト装置２０および液晶表示装置によれば、直接、ケース２３に導電層（配線パターンＷＰ）を形成し、この配線パターンＷＰ上にＬＥＤ３２を実装する構成とすることにより、光源実装用の独立した配線基板を省略し、一層の狭額縁化を図ることができる。トップビュー型のＬＥＤ３２を用いた場合、サイドビュー型のＬＥＤ３２を用いた場合と同様に、あるいは、より一層の狭額縁化が可能となる。
【００３２】
（第３の実施形態）
図９は、第３の実施形態に係るバックライト装置の光源側を示す断面図である。  
第３の実施形態によれば、光源装置３０の光源として、トップビュー型のＬＥＤ３２を用いている。ＬＥＤ３２のケースは、導光板ＬＧの入射面ＥＦに対向した発光面４２ａと、この発光面４２ａと対向する実装面４２ｂとを有し、実装面４２ｂに一対の接続端子４４が設けられている。
【００３３】
光源装置３０の配線パターンＷＰは、ケース２３の短側板１６ｄの内面および外面（内面と反対側の面）、底板１７の外面上、およびスルーホール３４に沿って延在している。本実施形態において、スルーホール３４は、短側板１６ｄに形成され、短側板１６ｄと直交して貫通形成されている。配線パターンＷＰは、短側板１６ｄの内面上に設けられた複数の接続パッドＣＰ１、底板１７の外面上に設けられた複数の接続パッドＣＰ２、これらの接続パッドに導通しスルーホール３４を通って延在する配線と、を有している。接続パッドＣＰ１およびＣＰ２は、第２絶縁層３８ｂに覆われることなく、露出している。ＬＥＤ３２の実装面４２ｂは、短側板１６ｄの内面に対向している。接続端子４４は、ハンダ４６により、接続パッドＣＰ１に機械的かつ電気的に接合されている。また、接続パッドＣＰ２には、ハンダ４８により中継ＦＰＣ３６が接合されている。第３の実施形態において、バックライト装置２０の他の構成は、前述した第１の実施形態におけるバックライト装置と同一である。  
以上のように構成された第３の実施形態においても、前述した第２の実施形態と同様の作用効果が得られる。
【００３４】
（第４の実施形態）  
図１０は、第４の実施形態に係るバックライト装置の光源側を示す断面図である。  
第４の実施形態によれば、光源装置３０は、光源として、トップビュー型のＬＥＤ３２を用いている。配線パターンＷＰは、ケース２３の短側板１６ｄの内面および外面、およびスルーホール３４に沿って延在している。スルーホール３４は、短側板１６ｄに形成され、短側板１６ｄと直交して貫通形成されている。導電層で形成された配線パターンＷＰは、短側板１６ｄの内面上に設けられた複数の接続パッドＣＰ１、短側板１６ｄの外面上に設けられた複数の接続パッドＣＰ２、これらの接続パッドに導通しスルーホール３４を通って延在する配線と、を有している。接続パッドＣＰ１およびＣＰ２は、第２絶縁層３８ｂに覆われることなく、露出している。  
ＬＥＤ３２の実装面４２ｂは、短側板１６ｄの内面に対向している。接続端子４４は、ハンダ４６により、接続パッドＣＰ１に機械的かつ電気的に接合されている。また、接続パッドＣＰ２には、ハンダ４８により中継ＦＰＣ３６が接合されている。これにより、中継ＦＰＣ３６の接続端部は、短側板１６ｄに重ねて配置されている。第４の実施形態において、バックライト装置２０の他の構成は、前述した第１の実施形態におけるバックライト装置と同一である。  
以上のように構成された第３の実施形態においても、前述した第２の実施形態と同様の作用効果が得られる。
【００３５】
（第５の実施形態）  
図１１は、第５の実施形態に係る液晶表示装置の光源側部分を示す断面図である。本実施形態によれば、バックライト装置２０のケース２３は、反射シートＲＥで構成された底板１７と、反射シートＲＥの周縁部に固定された矩形状の樹脂フレーム７０と、を有している。反射シートＲＥは、導光板ＬＧよりも大きな外径寸法に形成され、光源側においては、入射面ＥＦを超えて導光板ＬＧの外側に延在している。樹脂フレーム７０は、それぞれ反射シートの側縁に沿って延在する一対の長側板１６ａ、１６ｂおよび一対の短側板１６ｃ、１６ｄ（光源側の短側板１６ｄのみ図示する）を構成している。樹脂フレーム７０は、例えば、枠状の両面テープ７２により反射シートＲＥに固定されている。
【００３６】
導電層で形成された光源装置３０の配線パターンＷＰは、反射シートＲＥの内面（導光板ＬＧと対向する面）および外面上、およびスルーホール３４に形成されている。スルーホール３４は、反射シートＲＥに貫通形成されている。配線パターンＷＰは、反射シートＲＥの内面上に設けられた複数の接続パッドＣＰ１、反射シートＲＥの外面上に設けられた複数の接続パッドＣＰ２、これらの接続パッドに導通しスルーホール３４を通って延在する配線と、を有している。接続パッドＣＰ１は、第２絶縁層３８ｂに覆われることなく、露出している。
【００３７】
光源として、サイドビュー型のＬＥＤ３２を用いている。ＬＥＤ３２は、導光板ＬＧの入射面ＥＦに隣接対向した発光面４２ａと、この発光面４２ａに直交し反射シートＲＥに対向する実装面４２ｂと、実装面４２ｂに設けられた接続端子４４と、を有している。実装面４２ｂが配線パターンＷＰ上に実装される。すなわち、接続端子４４は、ハンダ４６により、接続パッドＣＰ１に機械的かつ電気的に接合されている。また、接続パッドＣＰ２には、ハンダ４８により中継ＦＰＣ３６が接合されている。第５の実施形態において、バックライト装置２０の他の構成および液晶表示装置の他の構成は、前述した第1の実施形態におけるバックライト装置および液晶表示装置と同一である。
【００３８】
以上のように構成された第５の実施形態によれば、ケース２３の底板を反射シートで構成することにより、別体の底板を不要としている。これにより、バックライト装置２０の一層の薄型化を図ることが可能となる。更に、第５の実施形態においても、前述した第１の実施形態と同様の作用効果が得られる。  
なお、本実施形態において、ＬＥＤは、サイドビュー型にかぎらず、トップビュー型のＬＥＤを用いても良い。また、配線パターンは、樹脂フレーム７０に形成することが可能である。
【００３９】
（第１変形例）  
上述した第１ないし第５の実施形態において、接続パッドＣＰ２に対する中継ＦＰＣ３６の接合は、ハンダ４８に限らず、図１２に示すように、異方性導電膜（ＡＣＦ）７４あるいは導電テープを用いてもよい。  
（第２変形例）  
図１３に示すように、中継ＦＰＣ３６は、接続端に設けられたコネクタ７６を介して接続パッドＣＰ２に接合してもよい。
【００４０】
（第３変形例）
上述した第１ないし第４の実施形態において、ケース２３は、金属に限らず、全部あるいは一部を合成樹脂で形成してもよい。図１４に示すように、例えば、ケース２３は、ステンレス（ＳＵＳ）等の金属で形成された底板１７と、底板１７の周縁部に両面テープ７２で固定され枠状の樹脂フレーム７０と、を備える構成としてもよい。樹脂フレーム７０は、ケース２３の４つの側板を構成している。
【００４１】
本発明のいくつかの実施形態を説明したが、これらの実施形態は、例として提示したものであり、発明の範囲を限定することは意図していない。新規な実施形態および変形例は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００４２】
本発明の実施形態として上述した各構成を基にして、当業者が適宜設計変更して実施し得る全ての構成も、本発明の要旨を包含する限り、本発明の範囲に属する。例えば、液晶パネル、バックライト装置の構成部材、およびケースの外形状および内形状は、矩形状に限定されることなく、外形あるいは内形のいずれか一方あるいは両方を平面視で多角形状や円形、楕円形、およびこれらを組み合わせた形状等の他の形状としてもよい。液晶表示装置およびバックライト装置は、平坦な形状に限らず、一部あるいは全部が湾曲あるいは傾斜した形状としてもよい。構成部材の材料は、上述した例に限らず、種々選択可能である。  
上述した実施形態によりもたらされる他の作用効果について本明細書の記載から明らかなもの、又は当業者において適宜想到し得るものついては、当然に本発明によりもたらされるものと解される。
【００４３】
以下に、本願出願の特許請求の範囲に記載された発明を付記する。  
（１）底板を有するケースと、  
前記ケースに形成され、配線および接続部を有する配線パターンと、  
出射面および入射面を有し、前記底板上に配置された導光板と、  
前記接続部に電気的に接続され、前記導光板の入射面に対向した発光面と前記接続部に対向する実装面と、を有する発光素子と、  
を備えるバックライト装置。
（２）前記ケースはスルーホールを有し、前記配線パターンは、前記ケースの内面上から前記スルーホールを通して前記ケースの外面上に延在する複数の配線と、前記ケースの内面に設けられ前記配線に導通する複数の第１接続部と、前記ケースの外面に設けられ前記配線に導通する第２接続部と、を有している（１）に記載のバックライト装置。
（３）前記ケースの外面側に設けられ、前記第２接続部に接続された配線基板を更に備えている（２）に記載のバックライト装置。
（４）前記第１接続部は、前記底板の内面上に設けられて、前記第２接続部は前記底板の外面に設けられている（２）に記載のバックライト装置。
（５）前記スルーホールは前記底板に形成され、前記導光板と重なる領域で、前記底板の内面および外面に開口している（４）に記載のバックライト装置。
（６）前記ケースは、前記底板の側縁に沿って設けられ前記導光板の入射面と隙間を置いて対向する第１側板を有し、  
前記第１接続部は、前記第１側板の内面に設けられ、前記第２接続部は前記底板の外面に設けられ、前記スルーホールは前記底板に形成されている（２）に記載のバックライト装置。
（７）前記ケースは、前記底板の側縁に沿って設けられ前記導光板の入射面と隙間を置いて対向する第１側板を有し、  
前記第１接続部は、前記第１側板の内面に設けられ、前記第２接続部は前記底板の外面に設けられ、前記スルーホールは前記第１側板に形成され、前記配線は、前記第１接続部から前記スルーホールを通り、前記第１側板の外面および前記底板の外面に沿って前記第２接続部まで延在している（２）に記載のバックライト装置。
（８）前記ケースは、前記底板の側縁に沿って設けられ前記導光板の入射面と隙間を置いて対向する第１側板を有し、  
前記第１接続部は、前記第１側板の内面に設けられ、前記第２接続部は前記第１側板の外面に設けられ、前記スルーホールは前記第１側板に形成され、前記配線は、前記第１接続部から前記スルーホールを通り、前記第１側板の外面に沿って前記第２接続部まで延在している（２）に記載のバックライト装置。
（９）前記ケースは、金属で形成されている（１）から（８）のいずれか１つに記載のバックライト装置。
（１０）前記ケースは、樹脂で形成されている（１）から（８）のいずれか１つに記載のバックライト装置。
（１１）前記ケースは、前記底板を構成する反射シートと、前記反射シートの周縁部に固定され側板を構成する樹脂フレームと、を有している（１）から（８）のいずれか１つに記載のバックライト装置。
（１２）液晶パネルと、  
前記液晶パネルに対向して配置された（１）から（１１）のいずれか１つにのバックライト装置と、を備える液晶表示装置。
【符号の説明】
【００４４】
１０…液晶表示装置、１２…液晶パネル、１４…カバーパネル、  
１６ｄ…短側板、１７…底板、２０…バックライト装置、  
２３…ケース、３０…光源装置、３２…ＬＥＤ、  
３４…スルーホール、３６…中継ＦＰＣ、３８ａ…第１絶縁層、  
３８ｂ…第２絶縁層、４０…導電層、４２ａ…出射面、４２ｂ…実装面、  
４４…接続端子、４６、４８…ハンダ、ＬＧ…導光板、ＥＦ…入射面、  
Ｓ１…出射面、ＷＰ…配線パターン、ＣＰ１、ＣＰ２…接続パッド
【図１】
2019091607.tif 000003
【図２】
2019091607.tif 000004
【図３】
2019091607.tif 000005
【図４】
2019091607.tif 000006
【図５】
2019091607.tif 000007
【図６】
2019091607.tif 000008
【図７】
2019091607.tif 000009
【図８】
2019091607.tif 000010
【図９】
2019091607.tif 000011
【図１０】
2019091607.tif 000012
【図１１】
2019091607.tif 000013
【図１２】
2019091607.tif 000014
【図１３】
2019091607.tif 000015
【図１４】
2019091607.tif 000016